(57)【要約】    【課題】  ディジタル信号を受信して記録再生するシステムにおける記録装置、記録再生装置及び受信記録装置において、アナログ信号のテレビジョン信号をディジタル信号に変換して記録再生する機能も持つディジタル信号の記録再生装置を提供する。    【解決手段】  アナログ映像信号とアナログ音声信号のＡ／Ｄコンバータ、圧縮するためのエンコーダ、圧縮映像信号と圧縮音声信号の多重化回路、受信したディジタル信号か圧縮された多重化信号かを選択する選択回路を設ける。    【選択図】図１
2006148950.tif 000002
【特許請求の範囲】
【請求項１】
アナログの映像信号を入力するアナログ映像入力手段と、
アナログの音声信号を入力するアナログ音声入力手段と、
前記アナログ映像入力手段で入力したアナログ映像信号をディジタル信号に変換する映像Ａ／Ｄコンバータと、
前記映像Ａ／Ｄコンバータで変換されたディジタル映像信号を情報圧縮する映像エンコーダと、  前記アナログ音声入力手段で入力したアナログ音声信号をディジタル信号に変換する音声Ａ／Ｄコンバータと、
前記音声Ａ／Ｄコンバータで変換されたディジタル音声信号を情報圧縮する音声エンコーダと、
少なくとも前記映像エンコーダで圧縮された圧縮映像信号と前記音声エンコーダで圧縮された圧縮音声信号を多重してあらかじめ定められたパケット形式の信号に変換する多重化手段と、
前記多重化手段で多重された多重ディジタル信号を記録する記録手段を備えたことを特徴とするディジタル信号記録装置。
【請求項２】
前記多重化手段は、前記圧縮映像信号と前記圧縮音声信号の他に、少なくとも前記パケットの時間情報を示すコード及び前記パケットの属性を示すＩＤ情報を多重化することを特徴とする請求項１記載のディジタル信号記録装置。
【請求項３】
映像・音声等をディジタル情報としてあらかじめ定められたパケット形式に多重されたディジタル信号を入力するディジタル入力手段と、
アナログの映像信号を入力するアナログ映像入力手段と、
アナログの音声信号を入力するアナログ音声入力手段と、
前記アナログ映像入力手段で入力したアナログ映像信号をディジタル信号に変換する映像Ａ／Ｄコンバータと、
前記映像Ａ／Ｄコンバータで変換されたディジタル映像信号を情報圧縮する映像エンコーダと、
前記アナログ音声入力手段で入力したアナログ音声信号をディジタル信号に変換する音声Ａ／Ｄコンバータと、
前記音声Ａ／Ｄコンバータで変換されたディジタル音声信号を情報圧縮する音声エンコーダと、
少なくとも前記映像エンコーダで圧縮された圧縮映像信号と前記音声エンコーダで圧縮された圧縮音声信号を多重して前記パケット形式の信号に変換する多重化手段と、
前記ディジタル入力手段から入力した入力ディジタル信号か前記多重化手段で多重された多重ディジタル信号かを選択する記録選択手段と、
前記記録選択手段で選択された選択ディジタル信号を記録する記録手段を備え、
前記入力ディジタル信号を記録する第１のモードと、前記多重ディジタル信号を記録する第２のモードを持つことを特徴とするディジタル信号記録装置。
【請求項４】
前記多重化手段は、前記圧縮映像信号と前記圧縮音声信号の他に、少なくとも前記パケットの時間情報を示すコード及び前記パケットの属性を示すＩＤ情報を多重化することを特徴とする請求項３記載のディジタル信号記録装置。
【請求項５】
前記記録装置は、外部よりクロックを入力する外部クロック入力手段と、
前記映像エンコーダまたは前記音声エンコーダで用いる内部クロックを生成するクロック生成手段と、
前記外部クロック入力手段で入力した外部クロックか前記クロック生成手段で生成された内部クロックかを選択するクロック選択手段と、
前記クロック選択手段で選択された選択クロックを用いて前記記録選択手段から出力される選択ディジタル信号の各パケットの出力時間情報を生成して前記選択ディジタル信号に付加する入力時間付加手段を備え、
前記クロック選択手段は前記第１のモードでは前記外部クロックを選択し、前記第２のモードでは前記内部クロックを選択することを特徴とする請求項３または請求項４記載のディジタル信号記録装置。
【請求項６】
映像・音声等をディジタル情報としてあらかじめ定められたパケット形式に多重されたディジタル信号を入力するディジタル入力手段と、
アナログの映像信号を入力するアナログ映像入力手段と、
アナログの音声信号を入力するアナログ音声入力手段と、
前記アナログ映像入力手段で入力したアナログ映像信号をディジタル信号に変換する映像Ａ／Ｄコンバータと、
前記映像Ａ／Ｄコンバータで変換されたディジタル映像信号を情報圧縮する映像エンコーダと、
前記アナログ音声入力手段で入力したアナログ音声信号をディジタル信号に変換する音声Ａ／Ｄコンバータと、
前記音声Ａ／Ｄコンバータで変換されたディジタル音声信号を情報圧縮する音声エンコーダと、
少なくとも前記映像エンコーダで圧縮された圧縮映像信号と前記音声エンコーダで圧縮された圧縮音声信号を多重するかまたは前記圧縮映像信号と前記圧縮音声信号と前記ディジタル入力手段から入力した入力ディジタル信号を多重して前記パケット形式の信号に変換する多重化手段と、
前記ディジタル入力手段から入力した入力ディジタル信号か前記多重化手段で多重された多重ディジタル信号かを選択する記録選択手段と、
前記記録選択手段で選択された選択ディジタル信号を記録する記録手段を備え、
前記入力ディジタル信号を記録する第１のモードと、前記多重化手段で圧縮映像信号と圧縮音声信号が多重された多重ディジタル信号を記録する第２のモードと、前記多重化手段で圧縮映像信号と圧縮音声信号と前記入力ディジタル信号が多重された多重ディジタル信号を記録する第３のモードを持つことを特徴とするディジタル信号記録装置。
【請求項７】
前記記録装置は、外部よりクロックを入力する外部クロック入力手段と、
内部クロックを生成するクロック生成手段と、
前記外部クロック入力手段で入力した外部クロックか前記クロック生成手段で生成された内部クロックかを選択するクロック選択手段と、
前記クロック選択手段で選択された選択クロックを用いて前記記録選択手段から出力される選択ディジタル信号の各パケットの出力時間情報を生成して前記選択ディジタル信号に付加する入力時間付加手段を備え、
前記映像エンコーダまたは前記音声エンコーダは少なくとも前記選択クロックを用いて動作し、前記第１のモード及び前記第３のモードでは前記クロック選択手段は外部クロックを選択し、前記第２のモードでは前記クロック選択手段は前記内部クロックを選択することを特徴とする請求項６記載のディジタル信号記録装置。
【請求項８】
映像・音声等をディジタル情報としてあらかじめ定められたパケット形式に多重されたディジタル信号を入力するディジタル入力手段と、
アナログの映像信号を入力するアナログ映像入力手段と、
アナログの音声信号を入力するアナログ音声入力手段と、
前記アナログ映像入力手段で入力したアナログ映像信号をディジタル信号に変換する映像Ａ／Ｄコンバータと、
前記映像Ａ／Ｄコンバータで変換されたディジタル映像信号を情報圧縮する映像エンコーダと、
前記アナログ音声入力手段で入力したアナログ音声信号をディジタル信号に変換する音声Ａ／Ｄコンバータと、
前記音声Ａ／Ｄコンバータで変換されたディジタル音声信号を情報圧縮する音声エンコーダと、
少なくとも前記映像エンコーダで圧縮された圧縮映像信号と前記音声エンコーダで圧縮された圧縮音声信号を多重して前記パケット形式の信号に変換する多重化手段と、
前記ディジタル入力手段から入力した入力ディジタル信号か前記多重化手段で多重された多重ディジタル信号かを選択する記録選択手段と、
前記記録選択手段で選択された選択ディジタル信号を記録再生する記録再生手段を備え、
記録時においては前記入力ディジタル信号を記録する第１の記録モードと、前記多重ディジタル信号を記録する第２の記録モードを持つことを特徴とするディジタル信号記録再生装置。
【請求項９】
前記多重化手段は、前記圧縮映像信号と前記圧縮音声信号の他に、少なくとも前記パケットの時間情報を示すコード及び前記パケットの属性を示すＩＤ情報を多重化することを特徴とする請求項８記載のディジタル信号記録再生装置。
【請求項１０】
前記記録再生装置は、外部よりクロックを入力する外部クロック入力手段と、
前記映像エンコーダまたは前記音声エンコーダで用いる内部クロックを生成するクロック生成手段と、
前記外部クロック入力手段で入力した外部クロックか前記クロック生成手段で生成された内部クロックかを選択するクロック選択手段と、
前記クロック選択手段で選択された選択クロックを用いて前記記録選択手段から出力される選択ディジタル信号の各パケットの出力時間情報を生成して前記選択ディジタル信号に付加する入力時間付加手段を備え、
前記クロック選択手段は前記第１の記録モードでは前記外部クロックを選択し、前記第２の記録モード及び再生時では前記内部クロックを選択することを特徴とする請求項８または請求項９記載のディジタル信号記録再生装置。
【請求項１１】
映像・音声等をディジタル情報としてあらかじめ定められたパケット形式に多重されたディジタル信号を入力するディジタル入力手段と、
アナログの映像信号を入力するアナログ映像入力手段と、
アナログの音声信号を入力するアナログ音声入力手段と、
前記アナログ映像入力手段で入力したアナログ映像信号をディジタル信号に変換する映像Ａ／Ｄコンバータと、
前記映像Ａ／Ｄコンバータで変換されたディジタル映像信号を情報圧縮する映像エンコーダと、
前記アナログ音声入力手段で入力したアナログ音声信号をディジタル信号に変換する音声Ａ／Ｄコンバータと、
前記音声Ａ／Ｄコンバータで変換されたディジタル音声信号を情報圧縮する音声エンコーダと、
少なくとも前記映像エンコーダで圧縮された圧縮映像信号と前記音声エンコーダで圧縮された圧縮音声信号を多重するかまたは前記圧縮映像信号と前記圧縮音声信号と前記ディジタル入力手段から入力した入力ディジタル信号を多重して前記パケット形式の信号に変換する多重化手段と、
前記ディジタル入力手段から入力した入力ディジタル信号か前記多重化手段で多重された多重ディジタル信号かを選択する記録選択手段と、
前記記録選択手段で選択された選択ディジタル信号を記録再生する記録再生手段を備え、
記録時においては前記入力ディジタル信号を記録する第１の記録モードと、前記多重化手段で圧
縮映像信号と圧縮音声信号が多重された多重ディジタル信号を記録する第２の記録モードと、前記多重化手段で圧縮映像信号と圧縮音声信号と前記入力ディジタル信号が多重された多重ディジタル信号を記録する第３の記録モードを持つことを特徴とするディジタル信号記録再生装置。
【請求項１２】
前記記録再生装置は、外部よりクロックを入力する外部クロック入力手段と、
内部クロックを生成するクロック生成手段と、
前記外部クロック入力手段で入力した外部クロックか前記クロック生成手段で生成された内部クロックかを選択するクロック選択手段と、
前記クロック選択手段で選択された選択クロックを用いて前記記録選択手段から出力される選択ディジタル信号の各パケットの出力時間情報を生成して前記選択ディジタル信号に付加する入力時間付加手段を備え、
前記映像エンコーダまたは前記音声エンコーダは少なくとも前記選択クロックを用いて動作し、前記第１の記録モード及び前記第３の記録モードでは前記クロック選択手段は外部クロックを選択し、前記第２の記録モード及び再生時では前記クロック選択手段は前記内部クロックを選択することを特徴とする請求項１１記載のディジタル信号記録再生装置。
【請求項１３】
映像・音声等で編成チャンネルを構成し、前記複数の編成チャンネルの信号がディジタル情報としてあらかじめ定められたパケット形式の一つのビット列に多重して伝送される信号を受信する受信部と、上記受信部で受信した信号を記録再生する記録再生部から成る受信記録再生装置であり、
上記受信部は、上記パケット形式のディジタル情報を入力する情報入力手段と、
上記情報入力手段で入力した入力ディジタル情報信号の復調、誤り訂正などの処理を行う入力処理手段と、
上記入力処理手段で処理された信号か上記記録再生部の出力かを選択する再生選択手段と、
上記再生選択手段で選択された選択信号から任意の編成チャンネルに関するパケットを分離する分離手段と、
上記分離手段で分離された分離信号を復号しテレビジョン信号を生成するデコード処理手段
と、
上記デコード処理手段で使用する第１のクロックを上記分離信号より再生するクロック再生手段と、
上記入力処理手段で処理された信号から任意の編成チャンネルの記録再生に関するパケットを分離するインターフェイス手段を備え、
上記記録再生部は、アナログの映像信号を入力するアナログ映像入力手段と、アナログの音声信号を入力するアナログ音声入力手段と、前記アナログ映像入力手段で入力したアナログ映像信号をディジタル信号に変換する映像Ａ／Ｄコンバータと、前記映像Ａ／Ｄコンバータで変換されたディジタル映像信号を情報圧縮する映像エンコーダと、前記アナログ音声入力手段で入力したアナログ音声信号をディジタル信号に変換する音声Ａ／Ｄコンバータと、前記音声Ａ／Ｄコンバータで変換されたディジタル音声信号を情報圧縮する音声エンコーダと、少なくとも前記映像エンコーダで圧縮された圧縮映像信号と前記音声エンコーダで圧縮された圧縮音声信号を多重して前記パケット形式の信号に変換する多重化手段と、前記受信部内の前記インターフェイス手段の出力か前記多重化手段で多重された多重ディジタル信号かを選択する記録選択手段と、前記記録選択手段で選択された選択ディジタル信号を記録し、再生信号を前記受信部に出力する記録再生手段を備え、
記録時においては前記受信部における前記インターフェイス手段の出力信号を記録する第１の記録モードと、前記多重ディジタル信号を記録する第２の記録モードを持つことを特徴とするディジタル信号受信記録再生装置。
【請求項１４】
前記多重化手段は、前記圧縮映像信号と前記圧縮音声信号の他に、少なくとも前記パケットの時間情報を示すコード及び前記パケットの属性を示すＩＤ情報を多重化することを特徴とする請求項１３記載のディジタル信号受信記録再生装置。
【請求項１５】
前記記録再生部は、前記映像エンコーダまたは前記音声エンコーダで用いる第２のクロックを生成するクロック生成手段と、
前記第１のクロックか前記第２のクロックかを選択するクロック選択手段と、
前記クロック選択手段で選択された選択クロックを用いて前記記録選択手段から出力される選択ディジタル信号の各パケットの出力時間情報を生成して前記選択ディジタル信号に付加する入力時間付加手段を備え、
前記クロック選択手段は前記第１の記録モードでは前記第１クロックを選択し、前記第２の記録モード及び再生時では前記第２のクロックを選択することを特徴とする請求項１３または請求項１４記載のディジタル信号受信記録再生装置。
【請求項１６】
映像・音声等で編成チャンネルを構成し、前記複数の編成チャンネルの信号がディジタル情報としてあらかじめ定められたパケット形式の一つのビット列に多重して伝送される信号を受信する受信部と、上記受信部で受信した信号を記録再生する記録再生部から成る受信記録再生装置であり、
上記受信部は、上記パケット形式のディジタル情報を入力する情報入力手段と、上記情報入力手段で入力した入力ディジタル情報信号の復調、誤り訂正などの処理を行う入力処理手段と、上記入力処理手段で処理された信号か上記記録再生部の出力かを選択する再生選択手段と、上記再生選択手段で選択された選択信号から任意の編成チャンネルに関するパケットを分離する分離手段と、上記分離手段で分離された分離信号を復号しテレビジョン信号を生成するデコード処理手段と、上記デコード処理手段で使用する第１のクロックを上記分離信号より再生するクロック再生手段と、上記入力処理手段で処理された信号から任意の編成チャンネルの記録再生に関するパケットを分離するインターフェイス手段を備え、
上記記録再生部は、アナログの映像信号を入力するアナログ映像入力手段と、アナログの音声信号を入力するアナログ音声入力手段と、前記アナログ映像入力手段で入力したアナログ映像信号をディジタル信号に変換する映像Ａ／Ｄコンバータと、前記映像Ａ／Ｄコンバータで変換されたディジタル映像信号を情報圧縮する映像エンコーダと、前記アナログ音声入力手段で入力したアナログ音声信号をディジタル信号に変換する音声Ａ／Ｄコンバータと、前記音声Ａ／Ｄコンバータで変換されたディジタル音声信号を情報圧縮する音声エンコーダと、少なくとも前記映像エンコーダで圧縮された圧縮映像信号と前記音声エンコーダで圧縮された圧縮音声信号を多重するかまたは前記圧縮映像信号と前記圧縮音声信号と前記インターフェイス手段の出力を多重して前記パケット形式の信号に変換する多重化手段と、前記受信部内の前記インターフェイス手段の出力か前記多重化手段
で多重された多重ディジタル信号かを選択する記録選択手段と、前記記録選択手段で選択された選択ディジタル信号を記録し、再生信号を前記受信部に出力する記録再生手段を備え、
記録時においては前記受信部における前記インターフェイス手段の出力信号を記録する第１の記録モードと、前記多重化手段で圧縮映像信号と圧縮音声信号が多重された多重ディジタル信号を記録する第２の記録モードと、前記多重化手段で圧縮映像信号と圧縮音声信号と前記前記インターフェイス手段の出力が多重された多重ディジタル信号を記録する第３の記録モードを持つことを特徴とするディジタル信号受信記録再生装置。
【請求項１７】
前記記録再生部は、第２のクロックを生成するクロック生成手段と、前記第１のクロックか前記第２のクロックかを選択するクロック選択手段と、
前記クロック選択手段で選択された選択クロックを用いて前記記録選択手段から出力される選択ディジタル信号の各パケットの出力時間情報を生成して前記選択ディジタル信号に付加する入力時間付加手段を備え、
前記映像エンコーダまたは前記音声エンコーダは少なくとも前記選択クロックを用いて動作し、前記第１の記録モード及び前記第３の記録モードでは前記クロック選択手段は前記第１のクロックを選択し、前記第２の記録モード及び再生時では前記クロック選択手段は前記第２のクロックを選択することを特徴とする請求項１６記載のディジタル信号受信記録再生装置。
【発明の詳細な説明】
【技術分野】
【０００１】
本発明は、ディジタル信号を受信して記録再生するシステムにおける記録装置及び記録再生装置及び受信記録再生装置に関る。
【背景技術】
【０００２】
従来のディジタル信号を記録して再生する技術としては、複数の情報が多重されて伝送されてくるディジタル信号を受信して記録する受信システム及び記録再生装置が特開平８−９８１６４で述べられている。前記従来の技術においては、複数の情報が多重化されて伝送されてくるディジタル情報信号を受信し所望の情報を選択する受信手段と、上記受信手段で受信された情報を記録する記録手段から構成される受信システムについて述べられている。
【０００３】
【特許文献１】特開平８−９８１６４号公報
【発明の開示】
【発明が解決しようとする課題】
【０００４】
前述の特開平８−９８１６４で述べられている従来技術においては、伝送されてくるディジタル信号をそのまま記録して再生することはできるが、現行の地上波放送のようなアナログのテレビジョン信号をディジタル信号に変換して記録再生することは不可能である。
【０００５】
本発明は、ディジタル信号を受信して記録再生するシステムにおける記録再生装置において、アナログ信号のテレビジョン信号をディジタル信号に変換して記録再生する機能も持つディジタル信号の記録装置及び記録再生装置及び受信記録再生装置を提供することを目的とする。
【課題を解決するための手段】
【０００６】
映像・音声・データ等をディジタル情報としてあらかじめ定められたパケット形式に多重されたディジタル信号を入力するディジタル入力手段と、アナログの映像信号を入力するアナログ映像入力手段と、アナログの音声信号を入力するアナログ音声入力手段と、前記アナログ映像入力手段で入力したアナログ映像信号をディジタル信号に変換する映像Ａ／Ｄコンバータと、前記映像Ａ／Ｄコンバータで変換されたディジタル映像信号を情報圧縮する映像エンコーダと、前記アナログ音声入力手段で入力したアナログ音声信号をディジタル信号に変換する音声Ａ／Ｄコンバータと、前記音声Ａ／Ｄコンバータで変換されたディジタル音声信号を情報圧縮する音声エンコーダと、少なくとも前記映像エンコーダで圧縮された圧縮映像信号と前記音声エンコーダで圧縮された圧縮音声信号を多重して前記パケット形式の信号に変換する多重化手段と、前記ディジタル入力手段から入力
した入力ディジタル信号か前記多重化手段で多重された多重ディジタル信号かを選択する記録選択手段と、前記記録選択手段で選択された選択ディジタル信号を記録する記録手段を設ける。
【発明の効果】
【０００７】
本発明を用いることにより、ディジタル放送の記録装置、記録再生装置及び受信記録装置において、アナログ信号のテレビジョン信号をディジタル信号に変換して記録再生することができる。また、ディジタル放送とディジタル信号に変換したアナログ信号のテレビジョン信号を同時に多チャンネル記録することも可能である。
【発明を実施するための最良の形態】
【０００８】
本発明の実施例を図面を用いて説明する。
【０００９】
図１は本発明におけるディジタル放送信号の受信及び記録再生装置のブロック構成を示す図である。同図において、１はディジタル放送受信装置、２は記録再生装置、３はエンコーダ装置、４はディジタル放送入力端子、５はチューナ、６はＱＰＳＫ復調回路、７は伝送に伴う信号の誤りを訂正する Forward Error Correction（以下ＦＥＣと略記）、８は再生切り換えスイッチ、９はパケット分離回路、１０はＭＰＥＧデコーダ、１１はＮＴＳＣエンコーダ、１２は記録再生装置とのインターフェイス回路、１３はクロック再生回路、１４はＤ／Ａコンバータ、１５は映像出力端子、１６は音声出力端子、１７は記録信号切り換えスイッチ、１８はパケット制御回路、１９は記録再生処理回路、２０は記録アンプ、２１は再生アンプ、２２は磁気テープ、２３は回転ヘッド、２４はクロック生成回路、２５はクロック切り換えスイッチ、２６は映像入力端子、２７は音声入力端子、２８は映像用Ａ／Ｄコンバータ、２９は音声用Ａ／Ｄコンバータ、３０は映像エンコーダ、３１は音声エンコーダ、３２は多重化回路、４７はディジタル信号処理回路である。
また、図２はディジタル放送信号における伝送信号の構造を示した図である。同図（Ａ）パケット構造に示すように、伝送信号は２０４バイトからなるパケットで構成され、４バイトのヘッダー５０、例えば国際標準であるＭＰＥＧ２（Moving Picture Expert Group 2）と呼ばれる圧縮方式を用いて圧縮された映像、音声、付加データ等の情報である１８４バイトのデータ５１、１６バイトの検査ビットからなる。このパケットが（Ｂ）パケット方式に示すように、１つの伝送路上に多重されて送られてくる。また、一般に１つの番組分だけでなく、複数の番組の映像、音声、付加データが多重されている。（Ｃ）ヘッダ構造はヘッダ５０の内容であり、同図において、５３はパケットの先頭を示す同期バイト、５４はトランスポートエラーインジケータ、５５はペイロードユニット開始インジケータ、５６はトランスポート優先度、５７はパケットの属性を示すＰＩＤ、５８
はトランスポートスクランブル制御、５９はアダプテーションフィールド制御、６０は連続性損傷であり、それぞれパケットに関する各種の属性、状態を示すものであり、全体で４バイトからなる。各数字はビット数を表している。
衛星等から送信されるディジタル放送信号をディジタル放送入力端子４より受信し、チューナ５に入力して、所望の信号を選局し出力する。チューナ５の出力はＱＰＳＫ復調回路６で復調され、ＦＥＣ７に入力される。ＦＥＣ７は検査ビット５２を用いて、伝送に伴う入力ディジタル信号の誤り訂正を行う。ＦＥＣ７の出力は再生切り換えスイッチ８及びインターフェイス回路１２に送られる。
放送信号を出力する場合、再生切り換えスイッチ８をａに選択することにより、ＦＥＣ７の出力をパケット分離回路９に入力する。パケット分離回路９では、ヘッダ５０内のＰＩＤ５７等により、それぞれのパケットの種類を判断し、特定の番組に係わる映像、音声等のパケットのみを分離し、ＭＰＥＧデコーダ１０に出力する。また、多重された信号には、例えば放送局で圧縮されたときの時間情報を示すＰＣＲ（Progrm Clock Reference）と呼ばれるパケットが存在するので、クロック再生回路１３により、このＰＣＲを用いてデコーダクロック４５を再生する。クロック再生回路１３により再生されたデコーダクロック４５は、例えば放送局でＭＰＥＧ２で圧縮する時の圧縮装置（図示せず）で用いられたクロックと同一の周波数となるように制御される。ＭＰＥＧデコーダ１０では、入力された分離信号及びクロック再生回路１３で再生されたデコーダクロック４５より、ＭＰＥＧ２等で圧縮された映像、音声をそれぞれ伸長して、伸長映像信号、伸長音声信号を得る。映像信号は、ＮＴＳＣエンコーダでテレビジョン用のアナログ映像信号に変換し、映像出力端子１５より出力され、音声信号はＤ／Ａコンバータ１４によりアナログ音声信号に変換され、音声出力端子１６より出力される。
一方、記録再生装置２に記録する場合、ＦＥＣ７の出力をインターフェイス回路１２で入力し、パケット分離回路９と同様、記録する番組に関する映像、音声、付加情報に関するパケットを分離する。但しインターフェイス回路１２は、記録再生装置２により記録再生する際、自動選局等に必要な番組情報等も記録する必要があるので、パケット分離回路９で選択されるパケットに加えて、他の番組情報も選択し、またパケットの一部変換を行う。インターフェイス回路１２で分離された信号は、記録信号切り換えスイッチ１７がｃを選択することにより、パケット制御回路１８に入力される。パケット制御回路１８では、図３（ａ）メインデータに示すように、１８８バイトからなるパケットデータを９２バイトのパケットデータＡ９９と９６バイトのパケットデータＢに分割し、パケットデータＡに４バイトのパケットヘッダー９８を付加する。またパケットヘッダー９８内にはタイムスタンプと呼ばれるパケットが入力された時間情報を示すデータを生成し、付加を行う。同図では、斜線部１０２で示している。
パケット制御回路１８で分割、パケットヘッダー９８が付加された信号は記録再生処理回路１９で、図３に示すように付加情報を示すＡＵＸ９７、ヘッダ９６をさらに付加し、それぞれブロック構造となるようにする。１パケットのデータがブロック９０及びブロック９１の２ブロックに構成されることになる。さらに、誤り訂正用のＣ１Ｐ１０１、ブロックの先頭を示す同期信号９２、ブロックの位置等の情報からなるＩＤ１（９３）、ＩＤ２（９４）、ＩＤ１（９３）及びＩＤ２（９４）の誤り検出用のパリティであるＩＤＰ９５を付加して記録信号１５２を生成し、記録アンプ２０を介して回転ヘッド２３により、磁気テープ２２に記録される。図４は磁気テープ２２上の記録フォーマットであり、回転ヘッドが１８０°回転する際のトラックフォーマットである。領域７０はプリアンブル、７１は付加的な情報であるサブコード、７２はギャップ、７３は図３（ａ）のブロック構造を持つメインデータ、７４はポストアンブル、７５はメインデータ、７６はメインデータ７５の誤り訂正用のパリティのＣ２Ｐである。サブコード７１は図３（ｂ）サブコードに示すように、パックデータと呼ばれるパック構造を持っている。
再生時は、回転ヘッド２３で再生された再生信号１５３が再生アンプ２１を介して記録再生処理回路１９に入力され、同期信号９２、ＩＤ１（９３）、ＩＤ２（９４）等の検出、Ｃ１Ｐ１０１、Ｃ２Ｐ７６等を用いた誤り訂正が行われ、パケットデータＡ９９及びパケットデータＢ１００を抽出し、パケット制御回路１８に送る。パケット制御回路１８では、記録時に付加されたタイムスタンプ１０２に従い、記録時と同一の時間間隔で各パケットを出力し、インターフェイス回路１２を介して再生切り換えスイッチ８に送られる。再生画面を得る場合、再生切り換えスイッチ８をｂに選択することにより、再生されたパケットがパケット分離回路９に送られる。パケット分離回路９では、記録時にインターフェイス回路１２で分離、変換された番組情報に関するパケットを基に自動選局がなされ、ＭＰＥＧデコーダ１０に必要なパケットのみを出力する。以下は放送信号からの出力を得る場合と同様にして、映像信号、音声信号を得る。
再生時においてもＭＰＥＧデコーダ１０で使用するデコーダクロック４５は、放送局等で圧縮された時と同一の周波数を得る必要がある。そのためには、少なくとも、記録時に入力されたそれぞれのＰＣＲの時間間隔を正確に保存して再生出力する必要がある。記録時にパケット制御回路１８でタイムスタンプ１０２を付加するのはこのためであり、再生時、パケット制御回路１８により、タイムスタンプ１０２に従って各パケットを出力することにより、パケット出力間の時間間隔を保存することができる。そのため記録時のタイムスタンプ１０２の生成に用いるクロックは、クロック再生回路１３で再生されたデコーダクロック４５を用いる必要がある。記録時はクロック切換スイッチ２５はｅを選択し、デコーダクロック４５がパケット制御回路１８に入力するように制御を行う。
一方再生時は、パケット制御回路１８より出力されるタイミングにより、ディジタル放送受信装置内１のクロック再生回路１３が動作してデコーダクロック４５を生成するので、パケット制御回路１８はデコーダクロック４５を用いることはできない。そこで固定クロック４６を生成するクロック生成回路２４を設け、クロック切換スイッチ２５がｆを選択することにより、固定クロック４６がパケット制御回路１８に入力し、固定クロック４６で作られるタイミングによりパケットが出力されるようにする。これにより、クロック再生回路１３は、固定クロック４６に応じた安定したクロックを生成できる。なお、クロック生成回路２４は一般に水晶発振器等が用いられるが、周波数はＭＰＥＧ２等の規格内の範囲のものを使用する必要がある。
以下、本発明に係わる現行の地上放送のようなアナログ放送を、本記録再生装置に記録再生するときの動作について説明する。
アナログ放送を記録する場合、図１に示すエンコーダ装置３の映像入力端子２６よりアナログ映像信号１５０を入力し、映像用Ａ／Ｄコンバータ２８でディジタル信号に変換し、映像エンコーダ３０で例えばディジタル放送信号の場合と同様にＭＰＥＧ２等を用いて画像圧縮を行い、多重化回路３２に出力する。また音声入力端子２７よりアナログ音声信号１５１を入力し、音声用Ａ／Ｄコンバータ２９でディジタル信号に変換し、音声エンコーダ３１で音声圧縮を行い、同様に多重化回路３２に出力する。多重化回路３２では映像エンコーダ３０で生成された映像ストリーム４２、音声エンコーダ３１で生成された音声ストリーム４３等の多重化を行う。
図５に多重化動作のタイミングの例を示す。同図において、映像ストリーム４２における映像１（１１０）、映像２（１１１）等は映像エンコーダ３０で圧縮された後の各パケット、音声ストリーム４３における音声１（１１３）、音声２（１１４）等は音声エンコーダ３１で圧縮された後の各パケット、４４は多重化回路３２で多重化された多重化ストリームを示すしており、それぞれ１パケットの長さは、圧縮率に依存する転送レートに依存する。一般に音声ストリーム４３の伝送レートは、映像ストリーム４２の伝送レートより低いものとなる。
多重化回路３２では、図５に示すように映像ストリーム４２及び音声ストリーム４３を一度記憶し、１つの信号上に両方のパケットを時分割に一定の転送レートで（一般に映像ストリーム４２と音声ストリーム４３の伝送レートの和以上の転送レートを用いる）出力する。さらにＭＰＥＧ２の規格で規定されている、番組情報に関するパケットＰＡＴ１１８、ＰＭＴ１１９、ＰＣＲ１２０、ＳＩテーブル１２１等を生成し、映像、音声を伝送しない時間に出力する。なお、ＰＭＴは一つの番組を構成する映像、音声などのパケットのＰＩＤ、ＰＡＴは各番組に対応するＰＭＴのパケットのＰＩＤがそれぞれ記述されている。また、ＳＩは、コピーガード、記録の不連続点を示すコード等その他の情報である。本発明のように、アナログ放送をアナログーディジタル変換、圧縮した信号を記録再生する場合のＰＡＴ、ＰＭＴを独自に規定してもよいし、既存の任意の番組に割り当て
ても良い。
【００１０】
ヌル（１１５、１２５、１２６）は、意味を持たないダミーデータであり、その量は各パケットの総合数と多重化ストリームの伝送レートとの差分に依存する。
図５に示すように、映像ストリーム４２、音声ストリーム４３、その他のパケット、ヌルを時分割に多重して、一本の信号とする。ここで、映像ストリーム４２上の映像１（１１０）、映像２（１１１）等の各パケットと、多重化ストリーム４４上の映像１（１１６）、映像２（１１７）等のパケットは同一の内容であり、同様に音声ストリーム４３上の音声１（１１３）、音声２（１１４）等の各パケットと、多重化ストリーム４４上の音声１（１２２）、音声２（１２４）等のパケットは同一の内容である。
以上により、多重化ストリーム４４のストリーム構造は、ディジタル放送受信装置１のインターフェイス回路１２の出力と同様のストリーム構造となるので、記録信号切換スイッチ１７がｄを選択し、パケット制御回路１８に入力することにより、ディジタル放送を記録再生する時と同様の操作で、多重化ストリーム４４の記録再生を行うことができる。
なお、多重化ストリーム４４の記録を行う際、パケット制御回路でのタイムスタンプ１０２の生成に用いるクロックは、ディジタル放送の記録の説明で述べたように、映像エンコーダ３０、音声エンコーダ３１等で用いるクロックと同一のものである必要があるので、図１に示すように、映像エンコーダ３０、音声エンコーダ３１、多重化回路３２をクロック生成回路２４で生成される固定クロック４６で動作させ、クロック切換スイッチ２５はｆを選択して、固定クロック４６がパケット制御回路１８に入力されるようにする。再生時もクロック切換スイッチ２５はｆを選択して、パケット制御回路１８は固定クロック４６を用いる。
また、記録再生装置に許容される転送レートに余裕がある場合、ディジタル放送とアナログ放送を同時に記録することも可能となる。図６はこの場合のディジタル放送信号の受信及び記録再生装置のブロック構成であり、多重化回路３２にインターフェース回路１２の出力である放送ストリームも入力し、映像エンコーダ３０、音声エンコーダ３１、多重化回路３２をクロック切換スイッチ２５の出力クロックで動作する点が図１と異なる。
記録時は図７に示すように、放送ストリーム４１、映像ストリーム４２、音声ストリーム４３の各パケットを時分割多重し、さらにＰＭＴ、ＰＣＲ等を付加して多重化ストリームを生成する。この場合ＰＡＴは放送ストリーム４１中に既に含まれているが（図７中、１３０で示すパケット）、これは放送ストリームに含まれる番組に関する情報しか含まれていないので、アナログ放送に関する情報も含むものに変換する必要がある。同図中、１３１は、変換されたＰＡＴを示す。
この場合、パケット制御回路１８はクロック再生回路１３で生成されたデコーダクロック４５を使用するので、クロック切換スイッチはｅを選択し、映像エンコーダ３０、音声エンコーダ３１等も同様にデコーダクロック４５を用いる。再生時は、クロック切換スイッチ２５はｆを選択し、固定クロック４６を使用する。
再生時は、ユーザーがディジタル放送かアナログ放送かを選択し、記録時に変換されたＰＡＴを基にしてどちらかの番組のパケットのみをパケット分離回路９で選択し、ＭＰＥＧデコーダ１０に入力し、所望の番組の映像、音声を得る。
以上により、ディジタル放送とディジタル信号に変換されたアナログ放送を容易に同時多チャンネル記録することが可能となる。また、図６の装置において、多重化回路３２において放送ストリーム４１を出力しないモードを設け、映像ストリーム４２、音声ストリーム４３のみを多重化すれば図１で説明した場合と同様の動作モードとなる、この場合の記録時ではクロック切換スイッチ２５はｆを選択すれば良い。また、放送ストリーム４１から映像のみを選択し、音声ストリーム４３から音声のみを選択する、または逆に放送ストリーム４１から音声のみを選択し、音声ストリーム４３から映像のみを選択するというように、映像と音声を別のソースから選択することも可能である。
また、以上では、インターフェイス回路１２、多重化回路３２、パケット制御回路１８を一方向の信号として説明したが、これを入出力のバスとしても良い。図８はこの場合の信号線の構成を示したものであり、１４０、１４３、１４４は出力をハイインピーダンスにすることができる。トライステートバッファ、１４１、１４２は入力バッファである。
同図の構成において、ディジタル放送の記録時はバッファ１４３、バッファ１４４をハイインピーダンスとして、バッファ１４０から入力バッファ１４２を介してパケット制御回路１８に入力し、アナログル放送の記録時はバッファ１４０、バッファ１４３をハイインピーダンスとして、バッファ１４４から入力バッファ１４２を介してパケット制御回路１８に入力し、再生時はバッファ１４０、バッファ１４４をハイインピーダンスとして、バッファ１４３から入力バッファ１４１を介してインターフェイス回路１２に入力すれば良い。これにより、インターフェイス回路１２とパケット制御回路１８との信号線の本数を低減することができる。
また、映像用Ａ／Ｄコンバータ２８、音声用Ａ／Ｄコンバータ２９、映像エンコーダ３０、音声エンコーダ３１、多重化回路３２等を記録再生装置２に内蔵しても良いし、ディジタル放送受信装置１に内蔵しても良い。また特に図示していないが、パケット分離回路９、ＭＰＥＧデコーダ１０、ＮＴＳＣエンコーダ１１、Ｄ／Ａコンバータ１４を記録再生装置に独立に設けても良い。これにより、記録再生装置単独でも再生映像信号を得ることができるようになる。もちろん、ディジタル放送受信装置１、記録再生装置２、エンコーダ装置３を全て一体型の装置としても良い。
また、以上の説明では、ディジタル信号のみの記録再生について説明したが、例えば現行のＶＨＳ ＶＴＲのようなアナログ信号の記録再生の機能を有しても良い。図９はディジタル信号とアナログ信号を選択して記録再生することができる受信記録再生装置のブロック図であり、図１、図６と共通部分は同一番号を付してある。
同図において、２００はアナログ放送入力端子、２０１はアナログチューナ、２０２はアナログ音声記録再生回路、２０３はアナログ映像記録再生回路、２０４はアナログ映像記録アンプ、２０５はアナログ映像再生アンプ、２０６はシステムコントローラ、２０７は出力選択回路、２０８は外部音声出力端子、２０９は外部映像入力端子、２１０はディジタル記録切換スイッチ、２２０は映像ヘッド、２２１は音声ヘッドである。
同図の装置でディジタル記録する場合、ディジタル記録切換スイッチ２１０がｇを選択することにより、ディジタル信号処理回路４７の出力を、再生アンプ２０を介して、回転ヘッド２３の音声ヘッド２２１により磁気テープ２２にディジタル記録される。また同時に、図示していないが、システムコントロール２０６により、サーボ用のトラッキング信号が回転ヘッド２２の回転と同期して記録される。その際、システムコントローラ２０６の制御により、アナログ映像記録アンプ２０４の出力は停止させる。
再生時は、図１、図６の説明で同様にして、ディジタル放送受信装置１により再生映像信号２３０、再生音声信号２３１が生成され、システムコントローラ２０６の制御により出力選択回路２０７で選択されることにより、外部映像出力端子２０９、外部音声出力端子２０８より出力される。
また、アナログ放送をディジタル記録する場合、アナログ放送入力端子２００よりアナログ放送信号を受信し、アナログチューナ２０１に入力して、所望の番組のアナログ映像信号１５０とアナログ音声信号１５１を生成し、エンコーダ装置３に入力すれば良い。
アナログ放送を現行のＶＨＳ方式等を用いてアナログ記録する場合、同様にアナログ放送入力端子２００よりアナログ放送信号を受信し、アナログチューナ２０１に入力して、所望の番組のアナログ映像信号１５０とアナログ音声信号１５１を生成する。アナログ映像信号１５０はアナログ映像記録再生回路２０３により例えばＶＨＳ規格の信号となるように処理され、アナログ映像記録アンプ２０４を介して回転ヘッド２３の映像ヘッド２２０により記録される。同時にアナログ音声信号１５１はアナログ音声記録再生回路２０２により例えばＶＨＳ規格の信号となるように処理され、ｈに選択されたディジタル記録切換スイッチ２１０及び記録アンプ２０を介して回転ヘッド２３の音声ヘッド２２１により記録される。ディジタル記録時と同様にサーボ用のトラッキング信号が記録される。映像ヘッド２２０と声ヘッド２２１は互いにアジマス角度が異なっており、アジマス
記録される。
再生時はアジマス損失のため、映像ヘッド２２０で記録された信号は映像ヘッド２２０でのみ、音声ヘッド２２１で記録された信号は音声ヘッド２２１でのみ再生される。映像ヘッド２２０で再生された映像信号はアナログ音声再生アンプ２０５を介して、アナログ映像記録再生回路２０３で処理されて再生映像信号２３２が生成され、出力選択回路２０７により外部映像出力端子２０９より出力される。また、音声ヘッド２２１で再生された音声信号は再生アンプ２１を介して、アナログ音声記録再生回路２０２で処理されて再生音声信号２３３が生成され、出力選択回路２０７により外部音声出力端子２０８より出力される。
この場合、一般にディジタル記録とアナログ記録では、磁気テープ２２の送りスピードが異なり、例えばアナログ記録の場合、ＶＨＳ規格の標準モード、３倍モードに対して、ディジタル記録時は２倍モード（標準モードの１／２の送りスピード。記録時間が２倍となる）となるように、システムコントロール２０６が制御する。また、特定のテープ（例えばＶＨＳ規格のＳ−ＶＨＳテープ）でしかディジタル記録を行わない場合も想定されるので、システムコントロール２０６により、テープの検出（一般にカセットにあけられている穴の有無のより判別可能）を行い、Ｓ−ＶＨＳテープ以外のテープの場合、常にアナログ記録となるように制御される。この場合、ディジタル放送をそのままディジタル記録できないため、図１０に示したように、一度ディジタル放送受信装置１で生成された映像信号２３０及び音声信号２３１を、入力選択回路２５０を介して、アナログ映像記録再生回路２０３、アナログ音声記録再生回路２０２に入力し、上記で説明したアナログ記録を行えば良い。
再生時は、図示していないが、システムコントロール２０６でサーボ用のトラッキング信号を検出ことにより、記録時のテープスピードを判断し、標準モード及び３倍モードの時はアナログ再生、２倍モードの時はディジタル再生となるように、システムコントロール２０６が自動的に切換える。これにより、ユーザーは、ディジタルで記録されたものか、アナログで記録されたものかを意識する必要が無く、自動的に所定のモードに切換わり、外部映像出力端子２０９、外部音声出力端子２０８よりを所望の信号を得ることができる。
また、ディジタル放送受信装置１を別の装置とし、出力選択回路２０７を設けず、ディジタル放送受信装置１の出力と、アナログ映像記録再生回路２０３及びアナログ音声記録再生回路２０２の出力をそれぞれ独立させても良い。
なお、以上の説明では記録媒体として磁気テープを用いているが、磁気ディスク、光ディスク、半導体メモリ等、他の記録媒体を用いても良い。また、図１、図６等には示していないが、ＱＰＳＫ復調回路６とＦＥＣ７の間に、暗号された信号を復元する暗号解読回路を設けてもよい。またインターフェイス回路１２で行うパケットの選択、番組情報に関するパケットの変換等をパケット分離回路９あるいはパケット制御回路１８で行っても良い。
【図面の簡単な説明】
【００１１】
【図１】本発明の実施例の構成を示すブロック図である。
【図２】パケット構造およびパケットの多重方式を示す図である。
【図３】記録装置におけるブロックフォーマットを示す図である。
【図４】記録装置におけるトラックフォーマットを示す図である。
【図５】多重化回路でのパケットの多重出力を示すタイミング図である。
【図６】本発明の他の実施例の構成を示すブロック図である。
【図７】図６の実施例における多重化回路でのパケットの多重出力を示すタイミング図である。
【図８】信号の伝送にバスを用いた時の構成を示すブロック図である。
【図９】本発明の他の実施例の構成を示すブロック図である。
【図１０】本発明の他の実施例の構成を示すブロック図である。
【符号の説明】
【００１２】
１…ディジタル放送受信装置、２…記録再生装置、３…エンコーダ装置、８…再生切換スイッチ、９…パケット分離回路、１０…ＭＰＥＧデコーダ、１２…インターフェイス回路、１３…クロック再生回路、１７…記録信号切換スイッチ、１８…パケット制御回路、１９…記録再生処理回路、２４…クロック生成回路、２５…クロック切換スイッチ、２６…映像入力端子、２７…音声入力端子、２８…映像用Ａ／Ｄコンバータ、２９…音声用Ａ／Ｄコンバータ、３０…映像エンコーダ、３１…音声エンコーダ、３２…多重化回路路、４７…ディジタル信号処理回路
【図１】
2006148950.tif 000003
【図２】
2006148950.tif 000004
【図３】
2006148950.tif 000005
【図４】
2006148950.tif 000006
【図５】
2006148950.tif 000007
【図６】
2006148950.tif 000008
【図７】
2006148950.tif 000009
【図８】
2006148950.tif 000010
【図９】
2006148950.tif 000011
【図１０】
2006148950.tif 000012
【手続補正書】
【提出日】平成17年12月19日(2005.12.19)
【手続補正１】
【補正対象書類名】特許請求の範囲
【補正対象項目名】全文
【補正方法】変更
【補正の内容】
【特許請求の範囲】
【請求項１】
圧縮映像信号および圧縮音声信号があらかじめ定められた固定長のパケット形式に多重されたディジタル信号を受信するディジタル信号受信手段と、
前記ディジタル信号受信手段によって受信したディジタル信号に同期したクロックを生成する第１のクロック生成手段と、
アナログの映像信号を入力するアナログ映像入力手段と、
アナログの音声信号を入力するアナログ音声入力手段と、
前記アナログ映像入力手段より入力したアナログ映像信号をディジタル信号に変換する映像Ａ／Ｄコンバータと、
前記映像Ａ／Ｄコンバータで変換されたディジタル映像信号を情報圧縮する映像エンコーダと、
前記アナログ音声入力手段で入力したアナログ音声信号をディジタル信号に変換する音声Ａ／Ｄコンバータと、
前記音声Ａ／Ｄコンバータで変換されたディジタル音声信号を情報圧縮する音声エンコーダと、
前記映像エンコーダ及び前記音声エンコーダで用いる内部クロックを生成する第２のクロック生成手段と、
少なくとも前記映像エンコーダで圧縮された圧縮映像信号と前記音声エンコーダで圧縮された圧縮音声信号とを多重して前記パケット形式の信号に変換する多重化手段と、
前記ディジタル信号受信手段によって受信したディジタル信号又は前記多重化手段で多重されたディジタル信号を選択する記録選択手段と、
前記第１のクロック生成手段によって生成されたクロック又は前記第２のクロック生成手段で生成されたクロックを選択するクロック選択手段と、
前記記録選択手段で選択された選択ディジタル信号のパケットに、前記クロック選択手段で選択された選択クロックを用いて再生時に再生パケットの出力間隔を制御するための時間情報をパケット毎に付加して記録する記録手段を備え、
前記受信ディジタル信号を記録する第１のモードと、前記多重ディジタル信号を記録する第２のモードを持ち、前記クロック選択手段は前記第１のモードでは前記クロック入力手段より入力したクロックを選択し、前記第２のモードでは前記内部クロックを選択することを特徴とするディジタル信号記録装置。
【請求項２】
前記圧縮映像信号および圧縮音声信号はＭＰＥＧ規格で規定されている所定バイト数のパケット形式の信号であり、前記多重化手段は、少なくともＰＡＴパケットおよびＰＭＴパケットを多重化することを特徴とする請求項１記載のディジタル信号記録装置。
【請求項３】
前記多重化手段は、ＳＩテーブル情報を多重化することを特徴とする請求項２記載のディジタル信号記録装置。
【請求項４】
圧縮映像信号および圧縮音声信号があらかじめ定められた固定長のパケット形式に多重されたディジタル信号を受信するディジタル信号受信手段と、
前記ディジタル信号受信手段によって受信したディジタル信号に同期したクロックを生成する第１のクロック生成手段と、
アナログの映像信号を入力するアナログ映像入力手段と、
アナログの音声信号を入力するアナログ音声入力手段と、
前記アナログ映像入力手段で入力したアナログ映像信号をディジタル信号に変換する映像Ａ／Ｄコンバータと、
前記映像Ａ／Ｄコンバータで変換されたディジタル映像信号を情報圧縮する映像エンコーダと、
前記アナログ音声入力手段で入力したアナログ音声信号をディジタル信号に変換する音声Ａ／Ｄコンバータと、
前記音声Ａ／Ｄコンバータで変換されたディジタル音声信号を情報圧縮する音声エンコーダと、
前記映像エンコーダ及び前記音声エンコーダで用いる内部クロックを生成する第２のクロック生成手段と、
少なくとも前記映像エンコーダで圧縮された圧縮映像信号と前記音声エンコーダで圧縮された圧縮音声信号とを多重して前記パケット形式の信号に変換する多重化手段と、
前記ディジタル信号受信手段によって受信したディジタル信号又は前記多重化手段で多重されたディジタル信号を選択する記録選択手段と、
前記第１のクロック生成手段によって生成されたクロック又は前記第２のクロック生成手段で生成されたクロックを選択するクロック選択手段と、
前記記録選択手段で選択された選択ディジタル信号のパケットに、前記クロック選択手段で選択された選択クロックを用いてパケット毎に時間情報を付加して記録し、再生時には前記時間情報を用いて再生パケットの出力間隔を制御して再生する記録再生手段を備え、
記録時においては前記入力ディジタル信号を記録する第１の記録モードと、前記多重ディジタル信号を記録する第２の記録モードを持ち、前記クロック選択手段は前記第１のモードでは前記クロック入力手段より入力したクロックを選択し、前記第２のモードでは前記内部クロックを選択することを特徴とするディジタル信号記録再生装置。
【請求項５】
前記圧縮映像信号および圧縮音声信号はＭＰＥＧ規格で規定されている所定バイト数のパケット形式の信号であり、前記多重化手段は、少なくともＰＡＴパケットおよびＰＭＴパケットを多重化することを特徴とする請求項４記載のディジタル信号記録再生装置。
【請求項６】
前記多重化手段は、ＳＩテーブル情報を多重化することを特徴とする請求項５記載のディジタル信号記録再生装置。
【請求項７】
アナログの映像信号を入力するアナログ映像入力手段と、
アナログの音声信号を入力するアナログ音声入力手段と、
前記アナログ映像入力手段で入力したアナログ映像信号をディジタル信号に変換する映
像Ａ／Ｄコンバータと、
前記映像Ａ／Ｄコンバータで変換されたディジタル映像信号を情報圧縮する映像エンコ
ーダと、  前記アナログ音声入力手段で入力したアナログ音声信号をディジタル信号に変
換する音声Ａ／Ｄコンバータと、
前記音声Ａ／Ｄコンバータで変換されたディジタル音声信号を情報圧縮する音声エンコ
ーダと、
少なくとも前記映像エンコーダで圧縮された圧縮映像信号と前記音声エンコーダで圧縮
された圧縮音声信号を多重してあらかじめ定められたパケット形式の信号に変換する多重
化手段と、
前記多重化手段で多重された多重ディジタル信号を記録する記録手段を備えたことを特
徴とするディジタル信号記録装置。
【手続補正３】
【補正対象書類名】明細書
【補正対象項目名】０００１
【補正方法】変更
【補正の内容】
【０００１】
本発明は、ディジタル信号記録装置及びディジタル信号記録再生装置に関る。
【手続補正４】
【補正対象書類名】明細書
【補正対象項目名】０００５
【補正方法】変更
【補正の内容】
【０００５】
本発明は、アナログ信号をディジタル信号に変換して記録再生するディジタル信号の記録装置及び記録再生装置を提供することを目的とする。
【手続補正５】
【補正対象書類名】明細書
【補正対象項目名】０００６
【補正方法】変更
【補正の内容】
【０００６】
本発明は、圧縮映像信号および圧縮音声信号があらかじめ定められた固定長のパケット形式に多重されたディジタル信号を受信するディジタル信号受信手段と、 ディジタル信号受信手段によって受信したディジタル信号に同期したクロックを生成する第１のクロック生成手段と、アナログの映像信号を入力するアナログ映像入力手段と、アナログの音声信号を入力するアナログ音声入力手段と、アナログ映像入力手段より入力したアナログ映像信号をディジタル信号に変換する映像Ａ／Ｄコンバータと、映像Ａ／Ｄコンバータで変換されたディジタル映像信号を情報圧縮する映像エンコーダと、アナログ音声入力手段で入力したアナログ音声信号をディジタル信号に変換する音声Ａ／Ｄコンバータと、音声Ａ／Ｄコンバータで変換されたディジタル音声信号を情報圧縮する音声エンコーダと、 映像エンコーダ及び音声エンコーダで用いる内部クロックを生成する第２のクロック生成手段と、少なくとも映像エンコーダで圧縮された圧縮映像信号と音声エンコーダで圧縮された圧縮音声信号とを多重してパケット形式の信号に変換する多重化手段と、ディジタル信号受信手段によって受信したディジタル信号又は多重化手段で多重されたディジタル信号を選択する記録選択手段と、 第１のクロック生成手段によって生成されたクロック又は第２のクロック生成手段で生成されたクロックを選択するクロック選択手段と、記録選択手段で選択された選択ディジタル信号のパケットに、クロック選択手段で選択された選択クロックを用いて再生時に再生パケットの出力間隔を制御するための時間情報をパケット毎に付加して記録する記録手段を備える。
受信ディジタル信号を記録する第１のモードと、多重ディジタル信号を記録する第２のモードを持ち、クロック選択手段は第１のモードではクロック入力手段より入力したクロックを選択し、第２のモードでは内部クロックを選択する。
【手続補正６】
【補正対象書類名】明細書
【補正対象項目名】０００７
【補正方法】変更
【補正の内容】
【０００７】
本発明を用いることにより、ディジタル信号の記録装置、記録再生装置において、アナログ信号をディジタル信号に変換して記録再生することができる。